(57)【要約】【課題】２つの商品収納室のどちらか冷却負荷の大きい方を冷却するには充分であるが、２つの商品収納室の両方を同時に冷却するには不充分な能力の圧縮機を用いて、２つの商品収納室の冷却運転と除霜運転を効率よく行う。【解決手段】自動販売機１は、断熱仕切り板２で区画された第１商品収納室３及び第２商品収納室４を有し、制御手段１４が、圧縮機９の運転時に第１商品収納室３を冷却する第１蒸発器５と第２商品収納室４を冷却する第２蒸発器６の内のどちらか一方にのみ選択的に冷媒が流れるように第１冷媒流路開閉手段７と第２冷媒流路開閉手段８の開閉を制御し、第１冷媒流路開閉手段７と第２冷媒流路開閉手段８の開閉により圧縮機９の運転中に第１蒸発器用送風機１０と第２蒸発器用送風機１１の内のどちらか冷媒が流れなくなった蒸発器に対応する送風機を冷媒が流れなくなった蒸発器の除霜が出来るように運転する。【選択図】図１
2013061849.tif 000002
【特許請求の範囲】
【請求項１】
断熱仕切り板で区画された第１商品収納室及び第２商品収納室と、前記第１商品収納室を冷却する第１蒸発器と、前記第１蒸発器と並列に接続され前記第２商品収納室を冷却する第２蒸発器と、前記第１蒸発器への冷媒流路と前記第２蒸発器への冷媒流路との分岐点から前記第１蒸発器への冷媒流路を開閉する第１冷媒流路開閉手段と、前記分岐点から前記第２蒸発器への冷媒流路を開閉する第２冷媒流路開閉手段と、前記第１蒸発器と前記第２蒸発器とが並列に接続された冷媒回路の冷媒を循環させる圧縮機と、前記第１蒸発器に送風する第１蒸発器用送風機と、前記第２蒸発器に送風する第２蒸発器用送風機と、前記第１商品収納室の庫内温度を検出する第１庫内温度検出手段と、前記第２商品収納室の庫内温度を検出する第２庫内温度検出手段と、前記第１庫内温度検出手段の検出温度と前記第２庫内温度検出手段の検出温度と前記第１商品収納室の設定温度と前記第２商品収納室の設定温度を基に前記第１冷媒流路開閉手段と前記第２冷媒流路開閉手段の開閉と前記圧縮機の運転と前記第１蒸発器用送風機と前記第２蒸発器用送風機の運転を制御する制御手段とを備え、前記制御手段は、前記圧縮機の運転時に前記第１蒸発器と前記第２蒸発器の内のどちらか一方にのみ選択的に冷媒が流れるように前記第１冷媒流路開閉手段と前記第２冷媒流路開閉手段の開閉を制御すると共に、前記第１冷媒流路開閉手段と前記第２冷媒流路開閉手段の開閉により前記圧縮機の運転中に前記第１蒸発器用送風機と前記第２蒸発器用送風機の内のどちらか冷媒が流れなくなった蒸発器に対応する送風機を前記冷媒が流れなくなった蒸発器の除霜が出来るように運転することを特徴とする自動販売機。
【請求項２】
前記第１商品収納室に収納される第１商品と前記第２商品収納室に収納される第２商品は、容器入り飲料であって、容量または前記容器の材質または前記容器の形状の少なくともいずれか一つが互いに異なることを特徴とする請求項１に記載の自動販売機。
【請求項３】
前記第１商品と前記第２商品は、一方が缶飲料であり、他方がペットボトル飲料であることを特徴とする請求項２に記載の自動販売機。
【請求項４】
前記第１冷媒流路開閉手段と前記第２冷媒流路開閉手段に、それぞれ電磁弁を用いたことを特徴とする請求項１から３のいずれか一項に記載の自動販売機。
【請求項５】
前記第１冷媒流路開閉手段と前記第２冷媒流路開閉手段を、一つの三方弁で構成したことを特徴とする請求項１から３のいずれか一項に記載の自動販売機。
【請求項６】
前記制御手段は、前記第１商品収納室と前記第２商品収納室の一方の冷却を他方より優先することを特徴とする請求項１から５のいずれか一項に記載の自動販売機。
【請求項７】
前記第１商品収納室の設定温度と前記第２商品収納室の設定温度を互いに独立して設定出来ることを特徴とする請求項１から６のいずれか一項に記載の自動販売機。
【請求項８】
前記圧縮機は能力可変型圧縮機であり、前記制御手段は、前記圧縮機の能力と運転／停止を制御することを特徴とする請求項１から７のいずれか一項に記載の自動販売機。
【請求項９】
前記第１蒸発器の温度を検出する第１蒸発器温度検出手段と、前記第２蒸発器の温度を検出する第２蒸発器温度検出手段とを備え、前記制御手段は、前記第１蒸発器温度検出手段または前記第２蒸発器温度検出手段の検出した温度を基に、前記第１冷媒流路開閉手段と前記第２冷媒流路開閉手段の開閉により前記圧縮機の運転中に前記第１蒸発器用送風機と前記第２蒸発器用送風機の内のどちらか冷媒が流れなくなった蒸発器に対応する送風機の運転を制御することを特徴とする請求項１から８のいずれか一項に記載の自動販売機。
【請求項１０】
前記第１蒸発器用送風機と前記第２蒸発器用送風機の内の少なくともどちらか一方に回転数可変型送風機を用い、前記制御手段は、前記回転数可変型送風機の回転数を制御することを特徴とする請求項１から９のいずれか一項に記載の自動販売機。
【請求項１１】
前記圧縮機の能力が、前記第１商品収納室と前記第２商品収納室のどちらか冷却負荷の大きい方を冷却するには充分であるが、前記第１商品収納室と前記第２商品収納室の両方を同時に冷却するには不充分な能力であることを特徴とする請求項１から１０のいずれか一項に記載の自動販売機。
【発明の詳細な説明】
【技術分野】
【０００１】
本発明は、商品を冷却販売する自動販売機に関するものである。
【背景技術】
【０００２】
近年のこの種の自動販売機には、２つの商品収納室の蒸発器に、１台の圧縮機から、それぞれ冷媒を供給するものがある（例えば、特許文献１参照）。
【０００３】
以下、図面を参照しながら上記従来の自動販売機について説明する。図７は従来の自動販売機の概略構成図である。
【０００４】
図７に示すように、従来の自動販売機１は、第１蒸発器５が設置された冷却専用の商品収納室２１と、第２蒸発器６と加温ヒータ２３が設置され冷却と加温が切り替えにて行える様に構成された商品収納室２２を有している。
【０００５】
第１蒸発器５と第２蒸発器６は、圧縮機９に別回路にて接続されており、第１蒸発器５は電磁弁を介することなく直接に、第２蒸発器６は電磁弁１７ｂを介して、冷媒配管２４にてそれぞれ接続されている。
【０００６】
商品収納室２１には室温センサ２５が、商品収納室２２には室温センサ２６がそれぞれ設置され、それぞれの商品収納室２１，２２の室内温度を検知出来るようになっている。
【０００７】
制御手段１４は、室温センサ２５及び室温センサ２６の検出温度から圧縮機９の運転／停止、電磁弁１７ｂの開閉を制御している。
【０００８】
以上のように構成された従来の自動販売機１について、以下その動作を説明する。
【０００９】
まず、商品収納室２１及び商品収納室２２の冷却を行う場合は、電磁弁１７ｂを開にして圧縮機９を動作させる。
【００１０】
この場合は、第１蒸発器５と第２蒸発器６に同時に冷媒が流れるため、商品収納室２１及び商品収納室２２は同時に冷却することが出来る。
【００１１】
その後、商品収納室２２に設置された室温センサ２６より検出された温度が、設定された下限温度以下になると電磁弁１７ｂを閉にして第２蒸発器６への冷媒供給を遮断し、商品収納室２１に設置された室温センサ２５より検出された温度が、設定された下限温度以下になると圧縮機９を停止して冷却運転の停止を行う。
【００１２】
その後、室温センサ２５の検出温度が設定された上限温度以上になると再び圧縮機９は運転を行い、商品収納室２１及び商品収納室２２の冷却温度は、下限温度から上限温度の範囲内で保たれる。
【００１３】
なお、最近の自動販売機において、本体が商品収納室２１、商品収納室２２のように仕切り板で分けられている理由は、特定の収納室（商品収納室２２）だけが加温も出来る様になっているためであり、加温が必要のない冷却専用の自動販売機においては、冷蔵庫やショーケース等と同様に、一つの商品収納室に対して一つの蒸発器を設置するのがコストの面からも常である。
【先行技術文献】
【特許文献】
【００１４】
【特許文献１】特開平６−６０２６２号公報
【発明の概要】
【発明が解決しようとする課題】
【００１５】
しかしながら、上記従来の自動販売機では、商品収納室２１と商品収納室２２を同時に冷却を行うため、圧縮機９は商品収納室２１と商品収納室２２の総負荷を冷却出来るだけの能力が必要であり、大型でコスト高となる課題を有していた。
【００１６】
また、同時に冷却を行うため、外気が高温高湿度条件下になると第１蒸発器５及び第２蒸発器６の着霜が同時に起こり、冷却能力の低下を招いたまま運転を行っていた。また同時に着霜が起こった場合、除霜運転においては圧縮機９を停止して除霜する必要があるという課題を有していた。
【００１７】
また、商品収納室２１及び商品収納室２２を同時に冷却を行う場合、冷媒を第１蒸発器５及び第２蒸発器６で分配して使用するため、１つの蒸発器５，６からすると冷媒不足傾向であるため、蒸発器５，６に冷媒を流す時間は長くなり、着霜しやすい傾向にあるという課題を有していた。
【００１８】
また、本体が商品収納室２１、商品収納室２２のように仕切り板で分けられている理由は、特定の収納室（例えば商品収納室２２）だけが加温も出来る様にしているためであり、商品の容量からなる負荷毎に仕切られている訳では無い。
【００１９】
そして、大容量の商品（例えば５００ｍｌ以上のペットボトル容器飲料）と小容量の商品（例えば３５０ｍｌ以下の缶容器飲料）が１つの商品収納室に収まっている場合は、大容量の商品は小容量の商品に比べて温度が下がりにくく、販売チャンスを逃すという課題を有していた。
【００２０】
本発明は上記従来の課題を解決するもので、２つの商品収納室のどちらか冷却負荷の大きい方を冷却するには充分であるが、２つの商品収納室の両方を同時に冷却するには不充分な能力の圧縮機を用いて、２つの商品収納室の冷却運転と除霜運転を効率よく行える自動販売機を提供することを第１の目的とする。
【００２１】
また、本発明は上記従来の課題を解決するもので、冷却し易さが異なる商品を収納する場合に冷却し難い商品を速く冷却出来る自動販売機を提供することを第２の目的とする。
【課題を解決するための手段】
【００２２】
上記第１の目的を達成するために、本発明の自動販売機は、断熱仕切り板で区画された第１商品収納室及び第２商品収納室を有し、圧縮機の運転時に第１商品収納室を冷却する第１蒸発器と第２商品収納室を冷却する第２蒸発器の内のどちらか一方にのみ選択的に冷媒が流れるように構成し、前記圧縮機の運転中に第１蒸発器用送風機と第２蒸発器用送風機の内のどちらか冷媒が流れなくなった蒸発器に対応する送風機を前記冷媒が流れなくなった蒸発器の除霜が出来るように運転するのである。
【００２３】
上記構成において、第１商品収納室と第２商品収納室とが断熱仕切り板で断熱され、圧縮機の運転時に第１商品収納室を冷却する第１蒸発器と第２商品収納室を冷却する第２蒸発器の内のどちらか一方にのみ選択的に冷媒が流れるように構成したので、２つの商品収納室のどちらか冷却負荷の大きい方を冷却するには充分であるが、２つの商品収納室の両方を同時に冷却するには不充分な能力の圧縮機を用いて、２つの商品収納室を交互に冷却
することが出来る。
【００２４】
よって、圧縮機を含めた冷却システムを小型化することが出来、コストダウンすることが出来る。
【００２５】
また、従来の自動販売機は、商品収納室が所定温度にまで冷却されたことにより蒸発器に冷媒が流れないようにした時には、送風機を停止させていた。そして、蒸発器の着霜状態を検知するか、もしくは除霜が必要と予想される所定条件を満足した時に除霜を行っていた。
【００２６】
これに対して、本発明の自動販売機は、圧縮機の運転中に第１蒸発器用送風機と第２蒸発器用送風機の内のどちらか冷媒が流れなくなった蒸発器に対応する送風機を前記冷媒が流れなくなった蒸発器の除霜が出来るように運転するので、除霜のために圧縮機を停止させる必要が無く、２つの商品収納室のどちらか一方の冷却運転中に、どちらか他方の除霜運転を行うことが出来る。
【００２７】
また、除霜が終了するまでは、蒸発器に付着した霜と熱交換した空気が送風されるので、除霜中の蒸発器を有する商品収納室の温度上昇を緩やかにすることができる。
【００２８】
また、それぞれの蒸発器の冷却運転再開時には、その冷却運転前の送風による除霜運転で除霜された後の状態になっており、着霜状態の蒸発器で冷却運転を再開してしまう可能性がほとんどないため、高温高湿条件下における冷却においても着霜による冷却能力の低下を防ぐことが出来る。よって、２つの商品収納室の冷却運転と除霜運転を効率よく行える。
【００２９】
また、上記第２の目的を達成するために、第１の目的を達成するための上記構成において、比較的冷却し易い商品を、第１商品収納室と第２商品収納室のどちらか一方に収納すると共に、比較的冷却し難い商品を、第１商品収納室と第２商品収納室のどちらか他方に収納するのである。
【００３０】
そして、第１商品収納室と第２商品収納室の内の比較的冷却し難い商品が収納された方の商品収納室の冷却を他方の商品収納室の冷却より優先させるか、もしくは、第１商品収納室と第２商品収納室の内の比較的冷却し難い商品が収納された方の商品収納室の設定温度を他方の商品収納室の設定温度より下げることにより、比較的冷却し難い商品を速く冷却することが出来る。
【発明の効果】
【００３１】
本発明によれば、第１商品収納室と第２商品収納室とを断熱仕切り板で断熱し、圧縮機の運転時に第１商品収納室を冷却する第１蒸発器と第２商品収納室を冷却する第２蒸発器の内のどちらか一方にのみ選択的に冷媒が流れるように構成したので、２つの商品収納室のどちらか冷却負荷の大きい方を冷却するには充分であるが、２つの商品収納室の両方を同時に冷却するには不充分な能力の圧縮機を用いて、２つの商品収納室を交互に冷却することが出来る。
【００３２】
よって、２つの商品収納室の蒸発器に、１台の圧縮機から、それぞれ冷媒を供給する自動販売機において、圧縮機を含めた冷却システムを小型化することが出来、コストダウンすることが出来る。
【００３３】
また、圧縮機の運転中に第１蒸発器用送風機と第２蒸発器用送風機の内のどちらか冷媒が流れなくなった蒸発器に対応する送風機を前記冷媒が流れなくなった蒸発器の除霜が出
来るように運転するので、除霜のために圧縮機を停止させる必要が無く、２つの商品収納室のどちらか一方の冷却運転中に、どちらか他方の除霜運転を行うことが出来る。
【００３４】
また、除霜が終了するまでは、蒸発器に付着した霜と熱交換した空気が送風されるので、除霜中の蒸発器を有する商品収納室の温度上昇を緩やかにすることができる。
【００３５】
また、それぞれの蒸発器の冷却運転再開時には、その冷却運転前の送風による除霜運転で除霜された後の状態になっており、着霜状態の蒸発器で冷却運転を再開してしまう可能性がほとんどないため、高温高湿条件下における冷却においても着霜による冷却能力の低下を防ぐことが出来る。
【００３６】
よって、２つの商品収納室の蒸発器に、１台の圧縮機から、それぞれ冷媒を供給する自動販売機において、２つの商品収納室の冷却運転と除霜運転を効率よく行える。
【００３７】
また、冷却し易さが異なる商品を収納する場合には、比較的冷却し易い商品を、第１商品収納室と第２商品収納室のどちらか一方に収納すると共に、比較的冷却し難い商品を、第１商品収納室と第２商品収納室のどちらか他方に収納することが望ましい。
【００３８】
そうすれば、比較的冷却し難い商品が収納された方の商品収納室の冷却を他方の商品収納室の冷却より優先させるか、もしくは、比較的冷却し難い商品が収納された方の商品収納室の設定温度を他方の商品収納室の設定温度より下げることにより、比較的冷却し難い商品を速く冷却することが出来る。
【図面の簡単な説明】
【００３９】
【図１】本発明の実施の形態１の自動販売機を示す構成図
【図２】同実施の形態の自動販売機の制御手段の制御の一例を示すフローチャート
【図３】同実施の形態の自動販売機の制御手段による第２商品収納室の冷却を優先させる実施例１を示すフローチャート
【図４】同実施の形態の自動販売機の制御手段による第２商品収納室の冷却を優先させる実施例２を示すフローチャート
【図５】同実施の形態の自動販売機の制御手段による第２商品収納室の冷却を優先させる実施例３を示すフローチャート
【図６】本発明の実施の形態２の自動販売機を示す構成図
【図７】従来の自動販売機の構成図
【発明を実施するための形態】
【００４０】
第１の発明は、断熱仕切り板で区画された第１商品収納室及び第２商品収納室と、前記第１商品収納室を冷却する第１蒸発器と、前記第１蒸発器と並列に接続され前記第２商品収納室を冷却する第２蒸発器と、前記第１蒸発器への冷媒流路と前記第２蒸発器への冷媒流路との分岐点から前記第１蒸発器への冷媒流路を開閉する第１冷媒流路開閉手段と、前記分岐点から前記第２蒸発器への冷媒流路を開閉する第２冷媒流路開閉手段と、前記第１蒸発器と前記第２蒸発器とが並列に接続された冷媒回路の冷媒を循環させる圧縮機と、前記第１蒸発器に送風する第１蒸発器用送風機と、前記第２蒸発器に送風する第２蒸発器用送風機と、前記第１商品収納室の庫内温度を検出する第１庫内温度検出手段と、前記第２商品収納室の庫内温度を検出する第２庫内温度検出手段と、前記第１庫内温度検出手段の検出温度と前記第２庫内温度検出手段の検出温度と前記第１商品収納室の設定温度と前記第２商品収納室の設定温度を基に前記第１冷媒流路開閉手段と前記第２冷媒流路開閉手段の開閉と前記圧縮機の運転と前記第１蒸発器用送風機と前記第２蒸発器用送風機の運転を制御する制御手段とを備え、前記制御手段が、前記圧縮機の運転時に前記第１蒸発器と前記第２蒸発器の内のどちらか一方にのみ選択的に冷媒が流れるように前記第１冷媒流路開
閉手段と前記第２冷媒流路開閉手段の開閉を制御すると共に、前記第１冷媒流路開閉手段と前記第２冷媒流路開閉手段の開閉により前記圧縮機の運転中に前記第１蒸発器用送風機と前記第２蒸発器用送風機の内のどちらか冷媒が流れなくなった蒸発器に対応する送風機を前記冷媒が流れなくなった蒸発器の除霜が出来るように運転することを特徴とする自動販売機である。
【００４１】
上記構成において、第１商品収納室と第２商品収納室とが断熱仕切り板で断熱され、圧縮機の運転時に第１商品収納室を冷却する第１蒸発器と第２商品収納室を冷却する第２蒸発器の内のどちらか一方にのみ選択的に冷媒が流れるように構成したので、２つの商品収納室のどちらか冷却負荷の大きい方を冷却するには充分であるが、２つの商品収納室の両方を同時に冷却するには不充分な能力の圧縮機を用いて、２つの商品収納室を交互に冷却することが出来る。
【００４２】
よって、２つの商品収納室の蒸発器に、１台の圧縮機から、それぞれ冷媒を供給する自動販売機において、圧縮機を含めた冷却システムを小型化することが出来、コストダウンすることが出来る。
【００４３】
また、従来の自動販売機は、商品収納室が所定温度にまで冷却されたことにより蒸発器に冷媒が流れないようにした時には、送風機を停止させていた。そして、蒸発器の着霜状態を検知するか、もしくは除霜が必要と予想される所定条件を満足した時に除霜を行っていた。
【００４４】
これに対して、本発明の自動販売機は、圧縮機の運転中に第１蒸発器用送風機と第２蒸発器用送風機の内のどちらか冷媒が流れなくなった蒸発器に対応する送風機を前記冷媒が流れなくなった蒸発器の除霜が出来るように運転するので、除霜のために圧縮機を停止させる必要が無く、２つの商品収納室のどちらか一方の冷却運転中に、どちらか他方の除霜運転を行うことが出来る。
【００４５】
また、除霜が終了するまでは、蒸発器に付着した霜と熱交換した空気が送風されるので、除霜中の蒸発器を有する商品収納室の温度上昇を緩やかにすることができる。
【００４６】
また、それぞれの蒸発器の冷却運転再開時には、その冷却運転前の送風による除霜運転で除霜された後の状態になっており、着霜状態の蒸発器で冷却運転を再開してしまう可能性がほとんどないため、高温高湿条件下における冷却においても着霜による冷却能力の低下を防ぐことが出来る。
【００４７】
よって、２つの商品収納室の蒸発器に、１台の圧縮機から、それぞれ冷媒を供給する自動販売機において、２つの商品収納室の冷却運転と除霜運転を効率よく行える。
【００４８】
また、冷却し易さが異なる商品を収納する場合には、比較的冷却し易い商品を、第１商品収納室と第２商品収納室のどちらか一方に収納すると共に、比較的冷却し難い商品を、第１商品収納室と第２商品収納室のどちらか他方に収納することが望ましい。
【００４９】
そうすれば、第１商品収納室と第２商品収納室の内の比較的冷却し難い商品が収納された方の商品収納室の冷却を他方の商品収納室の冷却より優先させるか、もしくは、第１商品収納室と第２商品収納室の内の比較的冷却し難い商品が収納された方の商品収納室の設定温度を他方の商品収納室の設定温度より下げることにより、比較的冷却し難い商品を速く冷却することが出来る。
【００５０】
第２の発明は、特に第１の発明において、前記第１商品収納室に収納される第１商品と
前記第２商品収納室に収納される第２商品を、容器入り飲料とすると共に、容量または前記容器の材質または前記容器の形状の少なくともいずれか一つが互いに異なるようにするものである。
【００５１】
一般に、容器入り飲料は、自動販売機で冷却販売する主要商品であり、その容量、容器の材質、容器の形状は、容器入り飲料の冷却し易さ（冷却に要する時間）に影響する。
【００５２】
そのため、容器入り飲料の容量、容器の材質、容器の形状の少なくともいずれか一つを基に選んだ比較的冷却し難い商品を、第１商品収納室に収納される第１商品と第２商品収納室に収納される第２商品のどちらか一方とすると共に、容器入り飲料の容量、容器の材質、容器の形状の少なくともいずれか一つを基に選んだ比較的冷却し易い商品を、第１商品収納室に収納される第１商品と第２商品収納室に収納される第２商品のどちらか他方としておくのである。
【００５３】
そうすれば、第１商品収納室と第２商品収納室の内の比較的冷却し難い商品が収納された方の商品収納室の冷却を他方の商品収納室の冷却より優先させるか、もしくは、第１商品収納室と第２商品収納室の内の比較的冷却し難い商品が収納された方の商品収納室の設定温度を他方の商品収納室の設定温度より下げることにより、比較的冷却し難い商品を速く冷却することが出来る。
【００５４】
例えば、第１商品収納室の第１商品を小容量、第２商品収納室の第２商品を大容量と収まる商品の容量別に分けた場合は、商品補充等により商品収納室の温度が上昇した場合に大容量のために冷却に時間のかかる第２商品収納室を優先的に冷却を行うようにすれば、大容量の第２商品を速く冷却することが出来、販売可能になるまでの時間を短縮することが出来る。
【００５５】
また、第１商品収納室と第２商品収納室の設定温度を互いに異なる温度にすれば、小容量の商品と大容量の商品の保存温度を異なる温度で保存することが出来る。
【００５６】
第３の発明は、特に第２の発明における前記第１商品と前記第２商品の一方を缶飲料とし、他方をペットボトル飲料とするものである。
【００５７】
一般に、容器入り飲料は、缶飲料とペットボトル飲料の２種類で、容器入り飲料の大部分を占めており、容器がアルミ缶またはスチール缶で３５０ｍｌ以下の容量のものが多い缶飲料は、飲料がペットボトルに入り５００ｍｌ以上の容量のものが多いペットボトル飲料より冷却し易い。
【００５８】
そのため、自動販売機で冷却販売する容器入り飲料を、缶飲料とペットボトル飲料とし、缶飲料を第１商品収納室に収納される第１商品と第２商品収納室に収納される第２商品のどちらか一方とすると共に、ペットボトル飲料を第１商品収納室に収納される第１商品と第２商品収納室に収納される第２商品のどちらか他方とするのである。
【００５９】
そうすれば、第１商品収納室と第２商品収納室の内のペットボトル飲料が収納された方の商品収納室の冷却を他方の商品収納室の冷却より優先させるか、もしくは、第１商品収納室と第２商品収納室の内のペットボトル飲料が収納された方の商品収納室の設定温度を他方の商品収納室の設定温度より下げることにより、缶飲料よりも冷却し難いペットボトル飲料を速く冷却することが出来る。
【００６０】
例えば、第１商品収納室に収納する第１商品を３５０ｍｌ以下の容量の缶飲料、第２商品収納室に収納する第２商品を５００ｍｌ以上の容量のペットボトル飲料とした場合は、
商品補充等により商品収納室の温度が上昇した場合に冷却に時間のかかる第２商品収納室を優先的に冷却を行うようにすれば、缶飲料よりも冷却し難いペットボトル飲料を速く冷却することが出来、販売可能になるまでの時間を短縮することが出来る。
【００６１】
また、第１商品収納室の設定温度よりも第２商品収納室の設定温度を低くしても、缶飲料よりも冷却し難いペットボトル飲料を速く冷却することが出来、販売可能になるまでの時間を短縮することが出来る。
【００６２】
また、第１商品収納室と第２商品収納室の設定温度を互いに異なる温度にすれば、缶飲料とペットボトル飲料の保存温度を異なる温度で保存することが出来る。
【００６３】
第４の発明は、特に第１から第３のいずれかの発明における前記第１冷媒流路開閉手段と前記第２冷媒流路開閉手段に、それぞれ電磁弁を用いたものである。
【００６４】
一般に、電磁弁は、外部から電気的に弁の開閉を制御することが容易であるので、第１冷媒流路開閉手段と第２冷媒流路開閉手段を、それぞれ電磁弁で実現することができる。
【００６５】
この場合は、制御手段が、圧縮機の運転時に第１蒸発器と第２蒸発器の内のどちらか一方にのみ選択的に冷媒が流れるように第１冷媒流路開閉手段としての電磁弁と第２冷媒流路開閉手段としての電磁弁の開閉を、一方の電磁弁を開く時には他方の電磁弁を閉じるように、逆に、一方の電磁弁を閉じる時には他方の電磁弁を開くように制御する。
【００６６】
第５の発明は、特に第１から第３のいずれかの発明における前記第１冷媒流路開閉手段と前記第２冷媒流路開閉手段を、一つの三方弁で構成したものである。
【００６７】
この場合の三方弁は、入口が一つで出口が二つあり、二つの出口のどちらか一方が開いている時にはどちらか他方が閉じており、開いていた方の出口が閉じられる時に閉じられていた方の出口が開けられる、外部からの制御で流路の切替えが可能なものであり、第１冷媒流路開閉手段と第２冷媒流路開閉手段を、一つの三方弁で構成できる。
【００６８】
また、一つの三方弁は、二つの電磁弁を用いる場合よりも制御回路が簡単になり、二つの電磁弁を切り替える場合に問題になる、分岐点から第１蒸発器への冷媒流路を開閉するタイミングと分岐点から第２蒸発器への冷媒流路を開閉するタイミングのズレの発生の虞がない。
【００６９】
第６の発明は、特に第１から第５のいずれかの発明において、前記制御手段が、前記第１商品収納室と前記第２商品収納室の一方の冷却を他方より優先するものである。
【００７０】
ところで、自動販売機では、第１商品収納室と第２商品収納室とで、大きさの違いや配置の関係で、第１商品収納室と第２商品収納室の内のどちらか一方の庫内温度が他方より高かったり、どちらか一方の冷却速度が他方より遅い場合、もしくは、比較的冷却し易い商品を、第１商品収納室と第２商品収納室のどちらか一方に収納すると共に、比較的冷却し難い商品を、第１商品収納室と第２商品収納室のどちらか他方に収納する場合がある。
【００７１】
その場合に、第１商品収納室と第２商品収納室の内のどちらか庫内温度が他方より高かったり、どちらか冷却速度が他方より遅い方の商品収納室の冷却を他方より優先する。または、第１商品収納室と第２商品収納室の内のどちらか比較的冷却し難い商品を収納する方の商品収納室の冷却を他方より優先する。または、比較的冷却し難い商品を、第１商品収納室と第２商品収納室のどちらか冷却を他方より優先する方の商品収納室に収納するのである。
【００７２】
そうすることにより、第１商品収納室と第２商品収納室の内のどちらか冷却し難い方の商品収納室または比較的冷却し難い商品を速く冷却することが出来、販売可能になるまでの時間を短縮することが出来る。
【００７３】
ここで、第１商品収納室と第２商品収納室の内の冷却を他方より優先する方は、予め決めて固定しても、手動で切替可能にしても、第１庫内温度検出手段と第２庫内温度検出手段の検出した各商品収納室の庫内温度または、第１庫内温度検出手段と第２庫内温度検出手段の検出した各商品収納室の庫内温度の時間的推移から演算された各商品収納室の冷却速度を基に、制御手段が判断して決めるようにしても構わない。
【００７４】
第７の発明は、特に第１から第６のいずれかの発明において、前記第１商品収納室の設定温度と前記第２商品収納室の設定温度を互いに独立して設定出来るものである。
【００７５】
これにより、第１商品収納室に収納する第１商品（例えば、３５０ｍｌ以下の容量の缶飲料）を、第２商品収納室に収納する第２商品（例えば、５００ｍｌ以上の容量のペットボトル飲料）と異なる温度で保存できる。
【００７６】
第８の発明は、特に第１から第７のいずれかの発明において、前記圧縮機に能力可変型圧縮機を用い、前記制御手段が、前記圧縮機の能力と運転／停止を制御するものであり、制御手段が、第１庫内温度検出手段の検出温度と第２庫内温度検出手段の検出温度と第１商品収納室の設定温度と第２商品収納室の設定温度を基に能力可変型圧縮機の能力と運転／停止を制御するので、各商品収納室の負荷変動に対して適切な能力で運転出来、また省エネになる。
【００７７】
第９の発明は、特に第１から第８のいずれかの発明に加えて、前記第１蒸発器の温度を検出する第１蒸発器温度検出手段と、前記第２蒸発器の温度を検出する第２蒸発器温度検出手段とを備え、前記制御手段が、前記第１蒸発器温度検出手段または前記第２蒸発器温度検出手段の検出した温度を基に、前記第１冷媒流路開閉手段と前記第２冷媒流路開閉手段の開閉により前記圧縮機の運転中に前記第１蒸発器用送風機と前記第２蒸発器用送風機の内のどちらか冷媒が流れなくなった蒸発器に対応する送風機の運転を制御するものである。
【００７８】
通常、冷媒が流れなくなった後の蒸発器の温度は、時間の経過と共に上昇するが、蒸発器が着霜していると、霜が融け終わるまでは水の凝固点を超える温度にならないので、冷媒が流れなくなった後の蒸発器の温度を基に、その蒸発器の着霜状態を判断できる。
【００７９】
したがって、第１蒸発器に冷媒が流れている（第２蒸発器に冷媒が流れていない）時に第２蒸発器温度検出手段により検出した第２蒸発器の温度を基に、第２蒸発器の着霜状態を判断でき、同様に、第２蒸発器に冷媒が流れている（第１蒸発器に冷媒が流れていない）時に第１蒸発器温度検出手段により検出した第１蒸発器の温度を基に、第１蒸発器の着霜状態を判断できる。
【００８０】
また、冷媒が流れなくなった蒸発器に対応する送風機の運転は、除霜を目的とするものであり、次に冷媒が流れ始めるまでに蒸発器の除霜を終了させておくことが望ましく、蒸発器に着霜した霜が融け終わった後の送風機の運転は、電力の無駄である。
【００８１】
そこで、第１蒸発器に冷媒が流れている（第２蒸発器に冷媒が流れていない）時に第２蒸発器温度検出手段により検出した第２蒸発器の温度を基に、制御手段が、第２蒸発器が着霜していることを判断した場合は、第２蒸発器温度検出手段により検出した第２蒸発器
の温度を基に蒸発器に着霜した霜が融け終わったことを判断するまで、第２蒸発器用送風機を運転する。
【００８２】
同様に、第２蒸発器に冷媒が流れている（第１蒸発器に冷媒が流れていない）時に第１蒸発器温度検出手段により検出した第１蒸発器の温度を基に、制御手段が、第１蒸発器が着霜していることを判断した場合は、第１蒸発器温度検出手段により検出した第１蒸発器の温度を基に蒸発器に着霜した霜が融け終わったことを判断するまで、第１蒸発器用送風機を運転する。
【００８３】
これにより、それぞれの蒸発器の冷却運転再開時には、その冷却運転前の送風による除霜運転で除霜された後の状態になっており、冷却運転再開までに除霜が終了できない場合を除いて着霜状態の蒸発器で冷却運転を再開してしまう可能性がないため、高温高湿条件下における冷却においても着霜による冷却能力の低下を防ぐことが出来る。
【００８４】
また、制御手段が、蒸発器の温度を基に蒸発器に着霜した霜が融け終わったことを判断した後は、除霜のための送風機の運転を止めることにより、蒸発器に着霜した霜が融け終わった後の送風機の運転による無駄な電力の消費を削減することが出来る。
【００８５】
第１０の発明は、特に第１から第９のいずれかの発明に加えて、前記第１蒸発器用送風機と前記第２蒸発器用送風機の内の少なくともどちらか一方に回転数可変型送風機を用い、前記制御手段は、前記回転数可変型送風機の回転数を制御するものである。
【００８６】
これにより、第１商品収納室と第２商品収納室の内の少なくともどちらか一方の回転数可変型送風機を有する商品収納室について、その商品収納室の蒸発器に冷媒が流れている冷却運転時であれば、庫内温度検出手段により検出する庫内温度が設定温度よりも高く且つその温度差が大きい場合や、庫内温度検出手段により検出する庫内温度が設定温度よりも高く且つ庫内温度検出手段により検出する庫内温度が設定温度に近づく速度が遅い場合には、制御手段が、回転数可変型送風機の回転数を高くして、商品収納室を早く設定温度まで冷却することができる。
【００８７】
また、第１商品収納室と第２商品収納室の内の少なくともどちらか一方の回転数可変型送風機を有する商品収納室について、その商品収納室とは別の蒸発器に冷媒が流れている除霜運転時であれば、蒸発器温度検出手段により検出する蒸発器の温度を基に所定量以上の着霜があると判断できる場合や、蒸発器温度検出手段により検出する蒸発器の温度の推移から冷却運転再開までに除霜が終了できない虞があると判断できる場合には、制御手段が、回転数可変型送風機の回転数を高くして、除霜時間の短縮を図ることができる。
【００８８】
第１１の発明は、特に第１から第１０のいずれかの発明において、前記圧縮機の能力を、前記第１商品収納室と前記第２商品収納室のどちらか冷却負荷の大きい方を冷却するには充分であるが、前記第１商品収納室と前記第２商品収納室の両方を同時に冷却するには不充分な能力にするものである。
【００８９】
第１から第１０のいずれの発明も、制御手段が、圧縮機の運転時に第１蒸発器と第２蒸発器の内のどちらか一方にのみ選択的に冷媒が流れるように第１冷媒流路開閉手段と第２冷媒流路開閉手段の開閉を制御するので、圧縮機に第１商品収納室と前記第２商品収納室の両方を同時に冷却する能力は必要なく、第１商品収納室と前記第２商品収納室のどちらか冷却負荷の大きい方を設定温度に冷却できるだけの能力があれば問題ない。
【００９０】
そこで、圧縮機の能力を、第１商品収納室と第２商品収納室のどちらか冷却負荷の大きい方を冷却するには充分であるが、第１商品収納室と第２商品収納室の両方を同時に冷却
するには不充分な能力にすることにより、圧縮機、凝縮器を小型化出来、その結果、圧縮機を含めた冷却システムを小型化することが出来るため、冷却システムを小型化した分のコストダウンが出来る。
【００９１】
また、冷却システムを小型化して出来たスペースを商品収納室の拡大に活用すれば、商品収納室に収納できる商品の量を増やすことができ、冷却システムを小型化して出来たスペースを、圧縮機、凝縮器が配置されて外気温度よりも高温になる機械室と冷却販売される商品が収納される商品収納室との断熱壁の壁厚の拡大に活用すれば、省エネになる。
【００９２】
以下、本発明の自動販売機の実施の形態について図面を参照しながら説明する。なお、この実施の形態によって本発明が限定されるものではない。
【００９３】
（実施の形態１）
図１は本発明の実施の形態１の自動販売機を示す構成図である。図２は同実施の形態の自動販売機の制御手段の制御の一例を示すフローチャートである。
【００９４】
また、図３は同実施の形態の自動販売機の制御手段による第２商品収納室の冷却を優先させる実施例１を示すフローチャート、図４は同実施の形態の自動販売機の制御手段による第２商品収納室の冷却を優先させる実施例２を示すフローチャート、図５は同実施の形態の自動販売機の制御手段による第２商品収納室の冷却を優先させる実施例３を示すフローチャートである。
【００９５】
図１に示すように、本実施の形態の自動販売機１の本体は、冷却販売する商品を収納するための商品収納室が断熱仕切り板２によって第１商品収納室３と第２商品収納室４に分けられている。第１商品収納室３には第１蒸発器５が、第２商品収納室４には第２蒸発器６が設置されている。
【００９６】
また、自動販売機１の本体下部には、第１蒸発器５と第２蒸発器６とが並列に接続された冷媒回路の冷媒を循環させる圧縮機９を含む冷却システム２７が設置されている。
【００９７】
第１蒸発器５への冷媒流路と第２蒸発器６への冷媒流路との分岐点から第１蒸発器５に冷媒を導くための冷媒流路にはその冷媒流路を開閉するための第１冷媒流路開閉手段７が設けられており、第１蒸発器５への冷媒流路と第２蒸発器６への冷媒流路との分岐点から第２蒸発器６に冷媒を導くための冷媒流路にはその冷媒流路を開閉するための第２冷媒流路開閉手段８が設けられている。
【００９８】
本実施の形態では、第１冷媒流路開閉手段７には電磁弁１７ａ、第２冷媒流路開閉手段８には電磁弁１７ｂを用いている。
【００９９】
第１商品収納室３には第１商品１５が収納されており、第１蒸発器５の近傍には第１蒸発器用送風機１０が設置され、第１商品収納室３内の空気を循環させている。また第１庫内温度検出手段１２によって第１商品収納室３内の庫内温度が検出される。
【０１００】
第２商品収納室４には第２商品１６が収納されており、第２蒸発器６の近傍には第２蒸発器用送風機１１が設置され、第２商品収納室４内の空気を循環させている。また第２庫内温度検出手段１３によって第２商品収納室４内の庫内温度が検出される。
【０１０１】
第１蒸発器５には第１蒸発器温度検出手段１９が設置され第１蒸発器５の温度を検出する。第２蒸発器６には第２蒸発器温度検出手段２０が設置され第２蒸発器６の温度を検出する。
【０１０２】
また制御手段１４により、第１冷媒流路開閉手段７（電磁弁１７ａ）と第２冷媒流路開閉手段８（電磁弁１７ｂ）の開閉と圧縮機９の運転と第１蒸発器用送風機１０と第２蒸発器用送風機１１の運転の制御を行っている。
【０１０３】
本実施の形態の自動販売機１は、断熱仕切り板２で区画された第１商品収納室３及び第２商品収納室４と、第１商品収納室３を冷却する第１蒸発器５と、第１蒸発器５と並列に接続され第２商品収納室４を冷却する第２蒸発器６と、第１蒸発器５への冷媒流路と第２蒸発器６への冷媒流路との分岐点から第１蒸発器５への冷媒流路を開閉する第１冷媒流路開閉手段７としての電磁弁１７ａと、分岐点から第２蒸発器６への冷媒流路を開閉する第２冷媒流路開閉手段８としての電磁弁１７ｂと、第１蒸発器５と第２蒸発器６とが並列に接続された冷媒回路の冷媒を循環させる圧縮機９と、第１蒸発器５に送風する回転数可変型の第１蒸発器用送風機１０と、第２蒸発器６に送風する回転数可変型の第２蒸発器用送風機１１と、第１商品収納室３の庫内温度を検出する第１庫内温度検出手段１２と、第２商品収納室４の庫内温度を検出する第２庫内温度検出手段１３と、第１蒸発器５の温度を検出する第１蒸発器温度検出手段１９と、第２蒸発器６の温度を検出する第２蒸発器温度検出手段２０と、第１庫内温度検出手段１２の検出温度と第２庫内温度検出手段１３の検出温度と第１商品収納室３の設定温度（サーモオン温度及びサーモオフ温度）と第２商品収納室４の設定温度（サーモオン温度及びサーモオフ温度）と第１蒸発器温度検出手段１９の検出温度と第２蒸発器温度検出手段２０の検出温度を基に第１冷媒流路開閉手段７（電磁弁１７ａ）と第２冷媒流路開閉手段８（電磁弁１７ｂ）の開閉と圧縮機９の運転と第１蒸発器用送風機１０と第２蒸発器用送風機１１の運転を制御する制御手段１４とを備える。
【０１０４】
制御手段１４は、圧縮機９の運転時に第１蒸発器５と第２蒸発器６の内のどちらか一方にのみ選択的に冷媒が流れるように第１冷媒流路開閉手段７（電磁弁１７ａ）と第２冷媒流路開閉手段８（電磁弁１７ｂ）の開閉を制御すると共に、第１冷媒流路開閉手段７（電磁弁１７ａ）と第２冷媒流路開閉手段８（電磁弁１７ｂ）の開閉により圧縮機９の運転中に第１蒸発器用送風機１０と第２蒸発器用送風機１１の内のどちらか冷媒が流れなくなった蒸発器に対応する送風機を、冷媒が流れなくなった蒸発器の除霜が出来るように運転する。
【０１０５】
なお、圧縮機９の能力は、第１商品収納室３と第２商品収納室４のどちらか冷却負荷の大きい方を冷却するには充分であるが、第１商品収納室３と第２商品収納室４の両方を同時に冷却するには不充分な能力である。
【０１０６】
以上のように構成された本実施の形態の自動販売機１について、以下その動作、作用を説明する。
【０１０７】
圧縮機９を含めた冷却システム２７が停止している状態（図２のスタート）から、まず、第１庫内温度検出手段１２と第２庫内温度検出手段１３により、それぞれの商品収納室内の庫内温度を検出する（図２のＳＴＥＰ１）。
【０１０８】
そして、第１庫内温度検出手段１２と第２庫内温度検出手段１３の少なくともどちらか一方の検出した庫内温度が、商品保存温度より所定温度ａだけ高い温度（サーモオン温度）以上であれば（図２のＳＴＥＰ２をＹ側に分岐する場合はＳＴＥＰ３に進んで）、検出した庫内温度が高い方の商品収納室の冷却を優先して行う（図２のＳＴＥＰ４またはＳＴＥＰ５、）。
【０１０９】
例えば、第１庫内温度検出手段１２と第２庫内温度検出手段１３の検出温度が商品保存
温度より所定温度ａだけ高い温度（サーモオン温度）以上であり（図２のＳＴＥＰ２をＹ側に分岐する場合で）、第１庫内温度検出手段１２の検出温度が第２庫内温度検出手段１３の検出温度より高い場合は（図２のＳＴＥＰ３をＹ側に分岐する場合は）、制御手段１４により第１冷媒流路開閉手段７（電磁弁１７ａ）を開、第２冷媒流路開閉手段８（電磁弁１７ｂ）を閉にして、圧縮機９を含めた冷却システム２７、第１蒸発器用送風機１０及び第２蒸発器用送風機１１を動作させる（図２のＳＴＥＰ４）。
【０１１０】
この時、第１蒸発器用送風機１０及び第２蒸発器用送風機１１は共に回転し、それぞれの商品収納室の空気を循環させる。また、第１冷媒流路開閉手段７（電磁弁１７ａ）が開、第２冷媒流路開閉手段８（電磁弁１７ｂ）が閉の時は、冷媒は第１蒸発器５には流れるが、第２蒸発器６には流れないため、第１商品収納室３だけが冷却される。
【０１１１】
そして、第１商品収納室３だけが冷却されることにより、やがて、第１庫内温度検出手段１２の検出温度が第２庫内温度検出手段１３の検出温度より低くなる（図２のＳＴＥＰ６の後、ＳＴＥＰ７をＹ側に分岐）。
【０１１２】
そして、第２庫内温度検出手段１３の検出温度と第１庫内温度検出手段１２の検出温度との温度差が所定温度ｃ以上に開く（図２のＳＴＥＰ８をＹ側に分岐する）か、もしくは、第１商品収納室３のみの冷却が所定時間（例えば１０分間）継続する（図２のＳＴＥＰ９をＹ側に分岐する）か、もしくは、第１庫内温度検出手段１２と第２庫内温度検出手段１３の内で第１庫内温度検出手段１２の検出温度だけが商品保存温度より所定温度ｂだけ低い温度（サーモオフ温度）以下になる（図２のＳＴＥＰ１０をＹ側に分岐し、ＳＴＥＰ１１をＮ側に分岐する）場合は、圧縮機９を含めた冷却システム２７を動作させたまま第１冷媒流路開閉手段７（電磁弁１７ａ）を閉、第２冷媒流路開閉手段８（電磁弁１７ａ）を開にする（図２のＳＴＥＰ１２）。
【０１１３】
そして、第１冷媒流路開閉手段７（電磁弁１７ａ）が閉、第２冷媒流路開閉手段８（電磁弁１７ａ）が開になると、図２のＳＴＥＰ３をＮ側に分岐してＳＴＥＰ５に進んだ場合と同様に、冷媒は第２蒸発器６には流れるが、第１蒸発器５には流れないため、第２商品収納室４だけが冷却される。
【０１１４】
なお、第１冷媒流路開閉手段７（電磁弁１７ａ）と第２冷媒流路開閉手段８（電磁弁１７ａ）の開閉が切り替わる時に、切り替え前の第１蒸発器５内を流れる液冷媒と第１蒸発器５の周囲の空気との熱交換により第１蒸発器５が着霜している場合は、第１蒸発器５に冷媒が流れていない時間と第１蒸発器用送風機１０の送風を利用して第１蒸発器５の除霜を行う。
【０１１５】
通常、第１蒸発器用送風機１０の動作により収納室温度が冷蔵温度以上であれば除霜可能ではあるが、第１蒸発器温度検出手段１９の検出した第１蒸発器５の温度が０℃付近でサチュレート（停滞）している。もしくは第１蒸発器温度検出手段１９の検出した第１蒸発器５の温度の上昇が遅い場合は多量の着霜があると判断し、第１蒸発器用送風機１０を高速回転させる（図２のＳＴＥＰ１３）ことにより、除霜の能力（第１蒸発器５を通過する空気との熱交換量）を上げて除霜に要する時間を短縮する。
【０１１６】
図２のＳＴＥＰ１３の後は、図２のＳＴＥＰ３をＮ側に分岐してＳＴＥＰ５に進んだ場合と同様に、ＳＴＥＰ１４以降の動作になる。
【０１１７】
第１冷媒流路開閉手段７（電磁弁１７ａ）が閉、第２冷媒流路開閉手段８（電磁弁１７ａ）が開になって、第２商品収納室４だけが冷却されることにより、やがて、第２庫内温度検出手段１３の検出温度が第１庫内温度検出手段１２の検出温度より低くなる（図２の
ＳＴＥＰ１４の後、ＳＴＥＰ１５をＹ側に分岐）。
【０１１８】
そして、第１庫内温度検出手段１２の検出温度と第２庫内温度検出手段１３の検出温度との温度差が所定温度ｃ以上に開く（図２のＳＴＥＰ１６をＹ側に分岐する）か、もしくは、第２商品収納室４のみの冷却が所定時間（例えば１０分間）継続する（図２のＳＴＥＰ１７をＹ側に分岐する）か、もしくは、第１庫内温度検出手段１２と第２庫内温度検出手段１３の内で第２庫内温度検出手段１３の検出温度だけが商品保存温度より所定温度ｂだけ低い温度（サーモオフ温度）以下になる（図２のＳＴＥＰ１８をＹ側に分岐し、ＳＴＥＰ１９をＮ側に分岐する）場合は、圧縮機９を含めた冷却システム２７を動作させたまま第１冷媒流路開閉手段７（電磁弁１７ａ）を開、第２冷媒流路開閉手段８（電磁弁１７ａ）を閉にする（図２のＳＴＥＰ２０）。
【０１１９】
そして、第１冷媒流路開閉手段７（電磁弁１７ａ）が開、第２冷媒流路開閉手段８（電磁弁１７ａ）が閉になると、図２のＳＴＥＰ３をＹ側に分岐してＳＴＥＰ４に進んだ場合と同様に、冷媒は第１蒸発器５には流れるが、第２蒸発器６には流れないため、第１商品収納室３だけが冷却される。
【０１２０】
なお、第１冷媒流路開閉手段７（電磁弁１７ａ）と第２冷媒流路開閉手段８（電磁弁１７ａ）の開閉が切り替わる時に、切り替え前の第２蒸発器６内を流れる液冷媒と第２蒸発器６の周囲の空気との熱交換により第２蒸発器６が着霜している場合は、第２蒸発器６に冷媒が流れていない時間と第２蒸発器用送風機１１の送風を利用して第２蒸発器６の除霜を行う。
【０１２１】
通常、第２蒸発器用送風機１１の動作により収納室温度が冷蔵温度以上であれば除霜可能ではあるが、第２蒸発器温度検出手段２０の検出した第２蒸発器６の温度が０℃付近でサチュレート（停滞）している。もしくは第２蒸発器温度検出手段２０の検出した第２蒸発器６の温度の上昇が遅い場合は多量の着霜があると判断し、第２蒸発器用送風機１１を高速回転させる（図２のＳＴＥＰ２１）ことにより、除霜の能力（第２蒸発器６を通過する空気との熱交換量）を上げて除霜に要する時間を短縮する。
【０１２２】
図２のＳＴＥＰ２１の後は、図２のＳＴＥＰ３をＹ側に分岐してＳＴＥＰ４に進んだ場合と同様に、ＳＴＥＰ６以降の動作になる。
【０１２３】
このようにして、第１商品収納室３と第２商品収納室４の一方の冷却と他方の除霜を交互に繰り返す。
【０１２４】
そして、第１庫内温度検出手段１２と第２庫内温度検出手段１３の両方の検出温度が同時に商品保存温度より所定温度ｂだけ低い温度（サーモオフ温度）以下になる（図２のＳＴＥＰ１０とＳＴＥＰ１１をＹ側に分岐、または、ＳＴＥＰ１８とＳＴＥＰ１９をＹ側に分岐した）時点で、第１商品収納室３と第２商品収納室４の両方の商品収納室の冷却は不要と判断され、圧縮機９を含めた冷却システム２７と第１蒸発器用送風機１０及び第２蒸発器用送風機１１を停止（図２のＳＴＥＰ２２）させて冷却終了となる（図２のエンドからスタートに戻る）。
【０１２５】
その後、第１庫内温度検出手段１２と第２庫内温度検出手段１３のどちらかの検出温度が商品保存温度より所定温度ａだけ高い温度（サーモオン温度）以上になる（図２のＳＴＥＰ１の後、ＳＴＥＰ２をＹ側に分岐する）と、検出した庫内温度が高い方の商品収納室の冷却を行う。
【０１２６】
この時、第１庫内温度検出手段１２の検出温度が第２庫内温度検出手段１３の検出温度
より高い場合は図２のＳＴＥＰ３をＹ側に分岐してＳＴＥＰ４で第１商品収納室３の冷却、逆に、第２庫内温度検出手段１３の検出温度が第１庫内温度検出手段１２の検出温度より高い場合は図２のＳＴＥＰ３をＮ側に分岐してＳＴＥＰ５で第２商品収納室４の冷却を行う。
【０１２７】
もし、第１庫内温度検出手段１２の検出温度と第２庫内温度検出手段１３の検出温度が同じであれば、優先する方の商品収納室の冷却を行う。図２の例では、第２商品収納室４を優先している。
【０１２８】
以上の動作（制御）を繰り返すことにより、第１商品収納室３の第１商品１５及び第２商品収納室４の第２商品１６は、サーモオフ温度を下限温度としサーモオン温度を上限温度とする商品保存温度内で保存出来る。
【０１２９】
これにより第１蒸発器５と第２蒸発器６に交互に冷媒を流しながら運転を行うため、第１蒸発器５に冷媒を流している間は第２蒸発器６は除霜を行うことが出来、逆もまた同じである。そのため冷媒を流す運転前は常に除霜された蒸発器で運転開始を行うことが出来るので、高温高湿条件下における冷却においても着霜による冷却能力の低下を防ぐことが出来る。
【０１３０】
また蒸発器に対応した蒸発器温度検出手段の検出された温度から着霜していると判定した場合、その蒸発器に対応した蒸発器用送風機の回転数を上げて除霜時間の短縮を行うことが出来る。
【０１３１】
また第１蒸発器５と第２蒸発器６に交互に冷媒を流しながら運転を行い同時には冷媒を流さないため、第１商品収納室３もしくは第２商品収納室４の負荷の高いどちらか一方だけを冷却出来るだけの能力で自動販売機全体を冷却することが出来る。そのため圧縮機９、凝縮器を小型化出来、結果、冷却システム２７全体を小型化することが出来るため、コストダウンすることが出来る。
【０１３２】
ところで、自動販売機１のドアを長時間開けたり、自動販売機１のドアを開けて、冷却されていない商品を商品収納室に補充したすると、各商品収納室の温度は上昇する。
【０１３３】
そして、第２商品１６の容量が第１商品１５の容量より大きい場合（例えば第１商品１５が缶飲料３５０ｍｌ以下、第２商品１６がペットボトル飲料５００ｍｌ以上の場合）は、第２商品収納室４の庫内温度が第１商品収納室３の庫内温度よりも下がりにくく、商品保存温度まで庫内温度が下がったとしても商品熱容量の差から第２商品１６は第１商品１５と比較して商品保存温度までの到達時間は長くかかってしまう。
【０１３４】
第２商品１６の容量が第１商品１５の容量より大きい場合は、以下のように第２商品収納室４の冷却を優先する。
【０１３５】
第２商品収納室４の冷却を優先する１番目の例（実施例１）は、図３に示すように、第２商品収納室４の冷却が開始された後は、第２庫内温度検出手段１３の検出温度がサーモオフ温度以下になるまで、第１冷媒流路開閉手段７を閉、第２冷媒流路開閉手段８を開の状態のまま、圧縮機９を含めた冷却システム２７を動作させて、第２商品収納室４の冷却を行うものである。
【０１３６】
なお、図３のフローチャートは、図２のフローチャートのＳＴＥＰ１５からＳＴＥＰ１７のＳＴＥＰを省略し、省略した分だけ以降のＳＴＥＰの番号を繰り上げたものに相当する。
【０１３７】
図３に示すように、図３のＳＴＥＰ１４の後は、第２庫内温度検出手段１３の検出温度がサーモオフ温度以下になる（図３のＳＴＥＰ１５をＹ側に分岐しＳＴＥＰ１６をＮ側に分岐する）まで第１冷媒流路開閉手段７を閉、第２冷媒流路開閉手段８を開の状態のまま圧縮機９を含めた冷却システム２７を動作し、第２商品収納室４を冷却し続ける。
【０１３８】
第２商品収納室４の冷却を優先する２番目の例（実施例２）は、図４に示すように、始めに第２商品収納室４の冷却を行い、第２商品収納室４がサーモオフ温度になる場合を除いて、第１庫内温度検出手段１２の検出温度と第２庫内温度検出手段１３の検出温度との温度差が、所定温度ｃよりも大きい所定温度ｄ以上に開くまで第２商品収納室４を冷却し続けるものである。
【０１３９】
以下、実施例２の動作を図４を参照しながら説明する。
【０１４０】
圧縮機９を含めた冷却システム２７が停止している状態（図４のスタート）から、まず、第２庫内温度検出手段１３により、第２商品収納室４内の庫内温度を検出する（図４のＳＴＥＰ１）。
【０１４１】
そして、第２庫内温度検出手段１３が検出した第２商品収納室４内の庫内温度が、商品保存温度より所定温度ａだけ高い温度（サーモオン温度）以上であれば（図４のＳＴＥＰ２をＹ側に分岐する場合は）、制御手段１４により第１冷媒流路開閉手段７（電磁弁１７ａ）を閉、第２冷媒流路開閉手段８（電磁弁１７ｂ）を開にして、圧縮機９を含めた冷却システム２７、第１蒸発器用送風機１０及び第２蒸発器用送風機１１を動作させる（図４のＳＴＥＰ３）。
【０１４２】
この時、第１蒸発器用送風機１０及び第２蒸発器用送風機１１は共に回転し、それぞれの商品収納室の空気を循環させる。また、第１冷媒流路開閉手段７（電磁弁１７ａ）が閉、第２冷媒流路開閉手段８（電磁弁１７ｂ）が開であるので、冷媒は第２蒸発器６には流れるが、第１蒸発器５には流れないため、第２商品収納室４だけが冷却される。
【０１４３】
そして、第２商品収納室４だけが冷却されることにより、やがて、第２庫内温度検出手段１３の検出温度が第１庫内温度検出手段１２の検出温度より低くなる（図４のＳＴＥＰ４の後、ＳＴＥＰ５をＹ側に分岐）。
【０１４４】
そして、第１庫内温度検出手段１２の検出温度と第２庫内温度検出手段１３の検出温度との温度差が、所定温度ｃよりも大きい所定温度ｄ以上に開く（図４のＳＴＥＰ６をＹ側に分岐する）か、もしくは、第１庫内温度検出手段１２と第２庫内温度検出手段１３の内で第２庫内温度検出手段１３の検出温度だけが商品保存温度より所定温度ｂだけ低い温度（サーモオフ温度）以下になる（図４のＳＴＥＰ７をＹ側に分岐し、ＳＴＥＰ８をＮ側に分岐する）場合は、圧縮機９を含めた冷却システム２７を動作させたまま第１冷媒流路開閉手段７（電磁弁１７ａ）を開、第２冷媒流路開閉手段８（電磁弁１７ａ）を閉にする（図４のＳＴＥＰ９）。
【０１４５】
そして、第１冷媒流路開閉手段７（電磁弁１７ａ）が開、第２冷媒流路開閉手段８（電磁弁１７ａ）が閉になると、冷媒は第１蒸発器５には流れるが、第２蒸発器６には流れないため、第１商品収納室３だけが冷却される。
【０１４６】
なお、第１冷媒流路開閉手段７（電磁弁１７ａ）と第２冷媒流路開閉手段８（電磁弁１７ａ）の開閉が切り替わる時に、切り替え前の第２蒸発器６内を流れる液冷媒と第２蒸発器６の周囲の空気との熱交換により第２蒸発器６が着霜している場合は、第２蒸発器６に
冷媒が流れていない時間と第２蒸発器用送風機１１の送風を利用して第２蒸発器６の除霜を行う。
【０１４７】
通常、第２蒸発器用送風機１１の動作により収納室温度が冷蔵温度以上であれば除霜可能ではあるが、第２蒸発器温度検出手段２０の検出した第２蒸発器６の温度が０℃付近でサチュレート（停滞）している。もしくは第２蒸発器温度検出手段２０の検出した第２蒸発器６の温度の上昇が遅い場合は多量の着霜があると判断し、第２蒸発器用送風機１１を高速回転させる（図４のＳＴＥＰ１０）ことにより、除霜の能力（第２蒸発器６を通過する空気との熱交換量）を上げて除霜に要する時間を短縮する。
【０１４８】
第１冷媒流路開閉手段７（電磁弁１７ａ）が開、第２冷媒流路開閉手段８（電磁弁１７ａ）が閉になって、第１商品収納室３だけが冷却されることにより、やがて、第１庫内温度検出手段１２の検出温度が第２庫内温度検出手段１３の検出温度より低くなる（図４のＳＴＥＰ１１の後、ＳＴＥＰ１２をＹ側に分岐）。
【０１４９】
そして、第２庫内温度検出手段１３の検出温度と第１庫内温度検出手段１２の検出温度との温度差が、所定温度ｄよりも小さい所定温度ｃ以上に開く（図４のＳＴＥＰ１３をＹ側に分岐する）か、もしくは、第１商品収納室３のみの冷却が所定時間（例えば１０分間）継続する（図４のＳＴＥＰ１４をＹ側に分岐する）か、もしくは、第２庫内温度検出手段１３と第１庫内温度検出手段１２の内で第１庫内温度検出手段１２の検出温度だけが商品保存温度より所定温度ｂだけ低い温度（サーモオフ温度）以下になる（図４のＳＴＥＰ１５をＹ側に分岐し、ＳＴＥＰ１６をＮ側に分岐する）場合は、圧縮機９を含めた冷却システム２７を動作させたまま第１冷媒流路開閉手段７（電磁弁１７ａ）を閉、第２冷媒流路開閉手段８（電磁弁１７ａ）を開にする（図４のＳＴＥＰ１７）。
【０１５０】
そして、第１冷媒流路開閉手段７（電磁弁１７ａ）が閉、第２冷媒流路開閉手段８（電磁弁１７ａ）が開になると、図４のＳＴＥＰ２をＹ側に分岐してＳＴＥＰ３に進んだ場合と同様に、冷媒は第２蒸発器６には流れるが、第１蒸発器５には流れないため、第２商品収納室４だけが冷却される。
【０１５１】
なお、第１冷媒流路開閉手段７（電磁弁１７ａ）と第２冷媒流路開閉手段８（電磁弁１７ａ）の開閉が切り替わる時に、切り替え前の第１蒸発器５内を流れる液冷媒と第１蒸発器５の周囲の空気との熱交換により第１蒸発器５が着霜している場合は、第１蒸発器５に冷媒が流れていない時間と第１蒸発器用送風機１０の送風を利用して第１蒸発器５の除霜を行う。
【０１５２】
通常、第１蒸発器用送風機１０の動作により収納室温度が冷蔵温度以上であれば除霜可能ではあるが、第１蒸発器温度検出手段１９の検出した第１蒸発器５の温度が０℃付近でサチュレート（停滞）している。もしくは第１蒸発器温度検出手段１９の検出した第１蒸発器５の温度の上昇が遅い場合は多量の着霜があると判断し、第１蒸発器用送風機１０を高速回転させる（図４のＳＴＥＰ１８）ことにより、除霜の能力（第１蒸発器５を通過する空気との熱交換量）を上げて除霜に要する時間を短縮する。
【０１５３】
図４のＳＴＥＰ１８の後は、図４のＳＴＥＰ２をＹ側に分岐してＳＴＥＰ３に進んだ場合と同様に、ＳＴＥＰ４以降の動作になる。
【０１５４】
このようにして、第２商品収納室４の冷却を優先しながら、第１商品収納室３と第２商品収納室４の一方の冷却と他方の除霜を交互に繰り返す。
【０１５５】
そして、第１庫内温度検出手段１２と第２庫内温度検出手段１３の両方の検出温度が同
時に商品保存温度より所定温度ｂだけ低い温度（サーモオフ温度）以下になる（図４のＳＴＥＰ７とＳＴＥＰ８をＹ側に分岐、または、ＳＴＥＰ１５とＳＴＥＰ１６をＹ側に分岐した）時点で、第１商品収納室３と第２商品収納室４の両方の商品収納室の冷却は不要と判断され、圧縮機９を含めた冷却システム２７と第１蒸発器用送風機１０及び第２蒸発器用送風機１１を停止（図４のＳＴＥＰ１９）させて冷却終了となる（図４のエンドからスタートに戻る）。
【０１５６】
第２商品収納室４の冷却を優先する３番目の例（実施例３）は、図５に示すように、始めに第２商品収納室４の冷却を行い、第２商品収納室４がサーモオフ温度になる場合を除いて、第２商品収納室４のみの冷却を継続する時間を、第１商品収納室３のみの冷却を継続する時間よりも長くするものである。
【０１５７】
以下、実施例３の動作を図５を参照しながら説明する。
【０１５８】
圧縮機９を含めた冷却システム２７が停止している状態（図５のスタート）から、まず、第２庫内温度検出手段１３により、第２商品収納室４内の庫内温度を検出する（図５のＳＴＥＰ１）。
【０１５９】
そして、第２庫内温度検出手段１３が検出した第２商品収納室４内の庫内温度が、商品保存温度より所定温度ａだけ高い温度（サーモオン温度）以上であれば（図５のＳＴＥＰ２をＹ側に分岐する場合は）、制御手段１４により第１冷媒流路開閉手段７（電磁弁１７ａ）を閉、第２冷媒流路開閉手段８（電磁弁１７ｂ）を開にして、圧縮機９を含めた冷却システム２７、第１蒸発器用送風機１０及び第２蒸発器用送風機１１を動作させる（図５のＳＴＥＰ３）。
【０１６０】
この時、第１蒸発器用送風機１０及び第２蒸発器用送風機１１は共に回転し、それぞれの商品収納室の空気を循環させる。また、第１冷媒流路開閉手段７（電磁弁１７ａ）が閉、第２冷媒流路開閉手段８（電磁弁１７ｂ）が開であるので、冷媒は第２蒸発器６には流れるが、第１蒸発器５には流れないため、第２商品収納室４だけが冷却される。
【０１６１】
そして、第２商品収納室４だけが冷却されることにより、やがて、第２庫内温度検出手段１３の検出温度が第１庫内温度検出手段１２の検出温度より低くなる（図５のＳＴＥＰ４の後、ＳＴＥＰ５をＹ側に分岐）。
【０１６２】
そして、第２商品収納室４のみの冷却が所定時間（例えば２０分間）継続する（図５のＳＴＥＰ６をＹ側に分岐する）か、もしくは、第１庫内温度検出手段１２と第２庫内温度検出手段１３の内で第２庫内温度検出手段１３の検出温度だけが商品保存温度より所定温度ｂだけ低い温度（サーモオフ温度）以下になる（図５のＳＴＥＰ７をＹ側に分岐し、ＳＴＥＰ８をＮ側に分岐する）場合は、圧縮機９を含めた冷却システム２７を動作させたまま第１冷媒流路開閉手段７（電磁弁１７ａ）を開、第２冷媒流路開閉手段８（電磁弁１７ａ）を閉にする（図５のＳＴＥＰ９）。
【０１６３】
そして、第１冷媒流路開閉手段７（電磁弁１７ａ）が開、第２冷媒流路開閉手段８（電磁弁１７ａ）が閉になると、冷媒は第１蒸発器５には流れるが、第２蒸発器６には流れないため、第１商品収納室３だけが冷却される。
【０１６４】
なお、第１冷媒流路開閉手段７（電磁弁１７ａ）と第２冷媒流路開閉手段８（電磁弁１７ａ）の開閉が切り替わる時に、切り替え前の第２蒸発器６内を流れる液冷媒と第２蒸発器６の周囲の空気との熱交換により第２蒸発器６が着霜している場合は、第２蒸発器６に冷媒が流れていない時間と第２蒸発器用送風機１１の送風を利用して第２蒸発器６の除霜
を行う。
【０１６５】
通常、第２蒸発器用送風機１１の動作により収納室温度が冷蔵温度以上であれば除霜可能ではあるが、第２蒸発器温度検出手段２０の検出した第２蒸発器６の温度が０℃付近でサチュレート（停滞）している。もしくは第２蒸発器温度検出手段２０の検出した第２蒸発器６の温度の上昇が遅い場合は多量の着霜があると判断し、第２蒸発器用送風機１１を高速回転させる（図５のＳＴＥＰ１０）ことにより、除霜の能力（第２蒸発器６を通過する空気との熱交換量）を上げて除霜に要する時間を短縮する。
【０１６６】
第１冷媒流路開閉手段７（電磁弁１７ａ）が開、第２冷媒流路開閉手段８（電磁弁１７ａ）が閉になって、第１商品収納室３だけが冷却されることにより、やがて、第１庫内温度検出手段１２の検出温度が第２庫内温度検出手段１３の検出温度より低くなる（図５のＳＴＥＰ１１の後、ＳＴＥＰ１２をＹ側に分岐）。
【０１６７】
そして、第２庫内温度検出手段１３の検出温度と第１庫内温度検出手段１２の検出温度との温度差が、所定温度ｃ以上に開く（図５のＳＴＥＰ１３をＹ側に分岐する）か、もしくは、第１商品収納室３のみの冷却が所定時間（例えば１０分間）継続する（図５のＳＴＥＰ１４をＹ側に分岐する）か、もしくは、第２庫内温度検出手段１３と第１庫内温度検出手段１２の内で第１庫内温度検出手段１２の検出温度だけが商品保存温度より所定温度ｂだけ低い温度（サーモオフ温度）以下になる（図５のＳＴＥＰ１５をＹ側に分岐し、ＳＴＥＰ１６をＮ側に分岐する）場合は、圧縮機９を含めた冷却システム２７を動作させたまま第１冷媒流路開閉手段７（電磁弁１７ａ）を閉、第２冷媒流路開閉手段８（電磁弁１７ａ）を開にする（図５のＳＴＥＰ１７）。
【０１６８】
そして、第１冷媒流路開閉手段７（電磁弁１７ａ）が閉、第２冷媒流路開閉手段８（電磁弁１７ａ）が開になると、図５のＳＴＥＰ２をＹ側に分岐してＳＴＥＰ３に進んだ場合と同様に、冷媒は第２蒸発器６には流れるが、第１蒸発器５には流れないため、第２商品収納室４だけが冷却される。
【０１６９】
なお、第１冷媒流路開閉手段７（電磁弁１７ａ）と第２冷媒流路開閉手段８（電磁弁１７ａ）の開閉が切り替わる時に、切り替え前の第１蒸発器５内を流れる液冷媒と第１蒸発器５の周囲の空気との熱交換により第１蒸発器５が着霜している場合は、第１蒸発器５に冷媒が流れていない時間と第１蒸発器用送風機１０の送風を利用して第１蒸発器５の除霜を行う。
【０１７０】
通常、第１蒸発器用送風機１０の動作により収納室温度が冷蔵温度以上であれば除霜可能ではあるが、第１蒸発器温度検出手段１９の検出した第１蒸発器５の温度が０℃付近でサチュレート（停滞）している。もしくは第１蒸発器温度検出手段１９の検出した第１蒸発器５の温度の上昇が遅い場合は多量の着霜があると判断し、第１蒸発器用送風機１０を高速回転させる（図５のＳＴＥＰ１８）ことにより、除霜の能力（第１蒸発器５を通過する空気との熱交換量）を上げて除霜に要する時間を短縮する。
【０１７１】
図５のＳＴＥＰ１８の後は、図５のＳＴＥＰ２をＹ側に分岐してＳＴＥＰ３に進んだ場合と同様に、ＳＴＥＰ４以降の動作になる。
【０１７２】
このようにして、第２商品収納室４の冷却を優先しながら、第１商品収納室３と第２商品収納室４の一方の冷却と他方の除霜を交互に繰り返す。
【０１７３】
そして、第１庫内温度検出手段１２と第２庫内温度検出手段１３の両方の検出温度が同時に商品保存温度より所定温度ｂだけ低い温度（サーモオフ温度）以下になる（図５のＳ
ＴＥＰ７とＳＴＥＰ８をＹ側に分岐、または、ＳＴＥＰ１５とＳＴＥＰ１６をＹ側に分岐した）時点で、第１商品収納室３と第２商品収納室４の両方の商品収納室の冷却は不要と判断され、圧縮機９を含めた冷却システム２７と第１蒸発器用送風機１０及び第２蒸発器用送風機１１を停止（図５のＳＴＥＰ１９）させて冷却終了となる（図５のエンドからスタートに戻る）。
【０１７４】
なお、実施例１、実施例２、実施例３は、組み合わせても構わない。
【０１７５】
これにより、商品補充等により商品収納室の温度が上昇した場合、容器容量違い等から冷却に時間のかかる商品収納室を優先的に冷却を行い、大容量の商品温度を速く冷却することが出来、販売可能になるまでの時間を短縮することが出来る。また収納商品の容量毎に分けて断熱仕切り板２を設置しているため、制御手段１４により小容量の商品（例えば缶容器飲料３５０ｍｌ以下）と大容量の商品（例えばペットボトル容器飲料５００ｍｌ以上）を違う温度で保存することが出来る。
【０１７６】
以上のように本実施の形態の自動販売機１は、断熱仕切り板２で区画された第１商品収納室３及び第２商品収納室４と、第１商品収納室３を冷却する第１蒸発器５と、第１蒸発器５と並列に接続され第２商品収納室４を冷却する第２蒸発器６と、第１蒸発器５への冷媒流路と第２蒸発器６への冷媒流路との分岐点から第１蒸発器５への冷媒流路を開閉する第１冷媒流路開閉手段７と、分岐点から第２蒸発器６への冷媒流路を開閉する第２冷媒流路開閉手段８と、第１蒸発器５と第２蒸発器６とが並列に接続された冷媒回路の冷媒を循環させる圧縮機９と、第１蒸発器５に送風する第１蒸発器用送風機１０と、第２蒸発器６に送風する第２蒸発器用送風機１１と、第１商品収納室３の庫内温度を検出する第１庫内温度検出手段１２と、第２商品収納室４の庫内温度を検出する第２庫内温度検出手段１３と、第１庫内温度検出手段１２の検出温度と第２庫内温度検出手段１３の検出温度と第１商品収納室３の設定温度（サーモオン温度及びサーモオフ温度）と第２商品収納室４の設定温度（サーモオン温度及びサーモオフ温度）を基に第１冷媒流路開閉手段７と第２冷媒流路開閉手段８の開閉と圧縮機９の運転と第１蒸発器用送風機１０と第２蒸発器用送風機１１の運転を制御する制御手段１４とを備え、制御手段１４が、圧縮機９の運転時に第１蒸発器５と第２蒸発器６の内のどちらか一方にのみ選択的に冷媒が流れるように第１冷媒流路開閉手段７と第２冷媒流路開閉手段８の開閉を制御すると共に、第１冷媒流路開閉手段７と第２冷媒流路開閉手段８の開閉により圧縮機９の運転中に第１蒸発器用送風機１０と第２蒸発器用送風機１１の内のどちらか冷媒が流れなくなった蒸発器に対応する送風機を、冷媒が流れなくなった蒸発器の除霜が出来るように運転するのである。
【０１７７】
上記構成において、第１商品収納室３と第２商品収納室４とが断熱仕切り板２で断熱され、圧縮機９の運転時に第１商品収納室３を冷却する第１蒸発器５と第２商品収納室４を冷却する第２蒸発器６の内のどちらか一方にのみ選択的に冷媒が流れるように構成したので、２つの商品収納室３，４のどちらか冷却負荷の大きい方を冷却するには充分であるが、２つの商品収納室３，４の両方を同時に冷却するには不充分な能力の圧縮機９を用いて、２つの商品収納室３，４を交互に冷却することが出来る。
【０１７８】
よって、２つの商品収納室の蒸発器に、１台の圧縮機から、それぞれ冷媒を供給する自動販売機において、圧縮機を含めた冷却システムを小型化することが出来、コストダウンすることが出来る。
【０１７９】
また、従来の自動販売機は、商品収納室が所定温度にまで冷却されたことにより蒸発器に冷媒が流れないようにした時には、送風機を停止させていた。そして、蒸発器の着霜状態を検知するか、もしくは除霜が必要と予想される所定条件を満足した時に除霜を行っていた。
【０１８０】
これに対して、本実施の形態の自動販売機１は、圧縮機９の運転中に第１蒸発器用送風機１０と第２蒸発器用送風機１１の内のどちらか冷媒が流れなくなった蒸発器に対応する送風機を、冷媒が流れなくなった蒸発器の除霜が出来るように運転するので、除霜のために圧縮機９を停止させる必要が無く、２つの商品収納室３，４のどちらか一方の冷却運転中に、どちらか他方の除霜運転を行うことが出来る。
【０１８１】
また、除霜が終了するまでは、蒸発器に付着した霜と熱交換した空気が送風されるので、除霜中の蒸発器を有する商品収納室の温度上昇を緩やかにすることができる。
【０１８２】
また、それぞれの蒸発器の冷却運転再開時には、その冷却運転前の送風による除霜運転で除霜された後の状態になっており、着霜状態の蒸発器で冷却運転を再開してしまう可能性がほとんどないため、高温高湿条件下における冷却においても着霜による冷却能力の低下を防ぐことが出来る。
【０１８３】
よって、２つの商品収納室の蒸発器に、１台の圧縮機から、それぞれ冷媒を供給する自動販売機において、２つの商品収納室の冷却運転と除霜運転を効率よく行える。
【０１８４】
また、冷却し易さが異なる商品を収納する場合には、比較的冷却し易い商品を、第１商品収納室３と第２商品収納室４のどちらか一方に収納すると共に、比較的冷却し難い商品を、第１商品収納室３と第２商品収納室４のどちらか他方に収納することが望ましい。
【０１８５】
そうすれば、第１商品収納室３と第２商品収納室４の内の比較的冷却し難い商品が収納された方の商品収納室の冷却を他方の商品収納室の冷却より優先させるか、もしくは、第１商品収納室３と第２商品収納室４の内の比較的冷却し難い商品が収納された方の商品収納室の設定温度を他方の商品収納室の設定温度より下げることにより、比較的冷却し難い商品を速く冷却することが出来る。
【０１８６】
また、本実施の形態では、第１商品収納室３に収納される第１商品１５と第２商品収納室４に収納される第２商品１６を、容器入り飲料とすると共に、容量または容器の材質または容器の形状の少なくともいずれか一つが互いに異なるようにしている。
【０１８７】
一般に、容器入り飲料は、自動販売機で冷却販売する主要商品であり、その容量、容器の材質、容器の形状は、容器入り飲料の冷却し易さ（冷却に要する時間）に影響する。
【０１８８】
そのため、容器入り飲料の容量、容器の材質、容器の形状の少なくともいずれか一つを基に選んだ比較的冷却し難い商品を、第１商品収納室３に収納される第１商品１５と第２商品収納室４に収納される第２商品１６のどちらか一方とすると共に、容器入り飲料の容量、容器の材質、容器の形状の少なくともいずれか一つを基に選んだ比較的冷却し易い商品を、第１商品収納室３に収納される第１商品１５と第２商品収納室４に収納される第２商品１６のどちらか他方としておくのである。
【０１８９】
そうすれば、第１商品収納室３と第２商品収納室４の内の比較的冷却し難い商品が収納された方の商品収納室の冷却を他方の商品収納室の冷却より優先させるか、もしくは、第１商品収納室３と第２商品収納室４の内の比較的冷却し難い商品が収納された方の商品収納室の設定温度を他方の商品収納室の設定温度より下げることにより、比較的冷却し難い商品を速く冷却することが出来る。
【０１９０】
例えば、第１商品収納室３の第１商品１５を小容量、第２商品収納室４の第２商品１６を大容量と、収まる商品の容量別に分けた場合は、商品補充等により商品収納室の温度が
上昇した場合に大容量のために冷却に時間のかかる第２商品収納室４を優先的に冷却を行うようにすれば、大容量の第２商品１６を速く冷却することが出来、販売可能になるまでの時間を短縮することが出来る。
【０１９１】
また、第１商品収納室３と第２商品収納室４の設定温度を互いに異なる温度にすれば、小容量の商品と大容量の商品の保存温度を異なる温度で保存することが出来る。
【０１９２】
また、本実施の形態では、第１商品１５と第２商品１６の一方を缶飲料とし、他方をペットボトル飲料としている。
【０１９３】
一般に、容器入り飲料は、缶飲料とペットボトル飲料の２種類で、容器入り飲料の大部分を占めており、容器がアルミ缶またはスチール缶で３５０ｍｌ以下の容量のものが多い缶飲料は、飲料がペットボトルに入り５００ｍｌ以上の容量のものが多いペットボトル飲料より冷却し易い。
【０１９４】
そのため、自動販売機で冷却販売する容器入り飲料を、缶飲料とペットボトル飲料とし、缶飲料を第１商品収納室３に収納される第１商品１５と第２商品収納室４に収納される第２商品１６のどちらか一方とすると共に、ペットボトル飲料を第１商品収納室３に収納される第１商品１５と第２商品収納室４に収納される第２商品１６のどちらか他方とするのである。
【０１９５】
そうすれば、第１商品収納室３と第２商品収納室４の内のペットボトル飲料が収納された方の商品収納室の冷却を他方の商品収納室の冷却より優先させるか、もしくは、第１商品収納室３と第２商品収納室４の内のペットボトル飲料が収納された方の商品収納室の設定温度を他方の商品収納室の設定温度より下げることにより、缶飲料よりも冷却し難いペットボトル飲料を速く冷却することが出来る。
【０１９６】
第１商品収納室３に収納する第１商品１５を３５０ｍｌ以下の容量の缶飲料、第２商品収納室４に収納する第２商品１６を５００ｍｌ以上の容量のペットボトル飲料とした場合は、商品補充等により商品収納室の温度が上昇した場合に冷却に時間のかかる第２商品収納室４を優先的に冷却を行うようにすれば、缶飲料よりも冷却し難いペットボトル飲料を速く冷却することが出来、販売可能になるまでの時間を短縮することが出来る。
【０１９７】
また、第１商品収納室３の設定温度よりも第２商品収納室４の設定温度を低くしても、缶飲料よりも冷却し難いペットボトル飲料を速く冷却することが出来、販売可能になるまでの時間を短縮することが出来る。
【０１９８】
また、第１商品収納室３と第２商品収納室４の設定温度を互いに異なる温度にすれば、缶飲料とペットボトル飲料の保存温度を異なる温度で保存することが出来る。
【０１９９】
また、本実施の形態では、第１冷媒流路開閉手段７と第２冷媒流路開閉手段８に、それぞれ電磁弁１７ａ，１７ｂを用いている。
【０２００】
一般に、電磁弁は、外部から電気的に弁の開閉を制御することが容易であるので、第１冷媒流路開閉手段７と第２冷媒流路開閉手段８を、それぞれ電磁弁で実現することができる。
【０２０１】
この場合は、制御手段１４が、圧縮機９の運転時に第１蒸発器５と第２蒸発器６の内のどちらか一方にのみ選択的に冷媒が流れるように第１冷媒流路開閉手段７としての電磁弁１７ａと第２冷媒流路開閉手段８としての電磁弁１７ｂの開閉を、一方の電磁弁１７ａを
開く時には他方の電磁弁１７ｂを閉じるように、逆に、一方の電磁弁１７ａを閉じる時には他方の電磁弁１７ｂを開くように制御する。
【０２０２】
また、本実施の形態の図３から図５に示す実施例では、制御手段１４が、第１商品収納室３と第２商品収納室４の一方（第２商品収納室４）の冷却を他方（第１商品収納室３）より優先させている。
【０２０３】
ところで、自動販売機では、第１商品収納室３と第２商品収納室４とで、大きさの違いや配置の関係で、第１商品収納室３と第２商品収納室４の内のどちらか一方の庫内温度が他方より高かったり、どちらか一方の冷却速度が他方より遅い場合、もしくは、比較的冷却し易い商品を、第１商品収納室３と第２商品収納室４のどちらか一方に収納すると共に、比較的冷却し難い商品を、第１商品収納室３と第２商品収納室４のどちらか他方に収納する場合がある。
【０２０４】
その場合に、第１商品収納室３と第２商品収納室４の内のどちらか庫内温度が他方より高かったり、どちらか冷却速度が他方より遅い方の商品収納室の冷却を他方より優先する。または、第１商品収納室３と第２商品収納室４の内のどちらか比較的冷却し難い商品を収納する方の商品収納室の冷却を他方より優先する。または、比較的冷却し難い商品を、第１商品収納室３と第２商品収納室４のどちらか冷却を他方より優先する方の商品収納室に収納するのである。
【０２０５】
そうすることにより、第１商品収納室３と第２商品収納室４の内のどちらか冷却し難い方の商品収納室または比較的冷却し難い商品を速く冷却することが出来、販売可能になるまでの時間を短縮することが出来る。
【０２０６】
ここで、第１商品収納室３と第２商品収納室４の内の冷却を他方より優先する方は、予め決めて固定しても、手動で切替可能にしても、第１庫内温度検出手段１２と第２庫内温度検出手段１３の検出した各商品収納室の庫内温度または、第１庫内温度検出手段１２と第２庫内温度検出手段１３の検出した各商品収納室３，４の庫内温度の時間的推移から演算された各商品収納室の冷却速度を基に、制御手段１４が判断して決めるようにしても構わない。
【０２０７】
第１商品収納室３の設定温度と第２商品収納室４の設定温度は、互いに独立して設定出来るようにしても構わない。
【０２０８】
この場合は、第１商品収納室３に収納する第１商品１５（例えば、３５０ｍｌ以下の容量の缶飲料）を、第２商品収納室４に収納する第２商品１６（例えば、５００ｍｌ以上の容量のペットボトル飲料）と異なる温度で保存できる。
【０２０９】
また、圧縮機９に能力可変型圧縮機を用い、制御手段１４が、圧縮機９の能力と運転／停止を制御するようにしても構わない。
【０２１０】
この場合は、制御手段１４が、第１庫内温度検出手段１２の検出温度と第２庫内温度検出手段１３の検出温度と第１商品収納室３の設定温度と第２商品収納室４の設定温度を基に能力可変型の圧縮機９の能力と運転／停止を制御するので、各商品収納室３，４の負荷変動に対して適切な能力で運転出来、また省エネになる。
【０２１１】
また、本実施の形態は、第１蒸発器５の温度を検出する第１蒸発器温度検出手段１９と、第２蒸発器６の温度を検出する第２蒸発器温度検出手段２０とを備え、制御手段１４が、第１蒸発器温度検出手段１９または第２蒸発器温度検出手段２０の検出した温度を基に
、第１冷媒流路開閉手段７と第２冷媒流路開閉手段８の開閉により圧縮機９の運転中に第１蒸発器用送風機１０と第２蒸発器用送風機１１の内のどちらか冷媒が流れなくなった蒸発器に対応する送風機の運転を制御する。
【０２１２】
通常、冷媒が流れなくなった後の蒸発器の温度は、時間の経過と共に上昇するが、蒸発器が着霜していると、霜が融け終わるまでは水の凝固点を超える温度にならないので、冷媒が流れなくなった後の蒸発器の温度を基に、その蒸発器の着霜状態を判断できる。
【０２１３】
したがって、第１蒸発器５に冷媒が流れている（第２蒸発器６に冷媒が流れていない）時に第２蒸発器温度検出手段２０により検出した第２蒸発器６の温度を基に、第２蒸発器６の着霜状態を判断でき、同様に、第２蒸発器６に冷媒が流れている（第１蒸発器５に冷媒が流れていない）時に第１蒸発器温度検出手段１９により検出した第１蒸発器５の温度を基に、第１蒸発器５の着霜状態を判断できる。
【０２１４】
また、冷媒が流れなくなった蒸発器に対応する送風機の運転は、除霜を目的とするものであり、次に冷媒が流れ始めるまでに蒸発器の除霜を終了させておくことが望ましく、蒸発器に着霜した霜が融け終わった後の送風機の運転は、電力の無駄である。
【０２１５】
そこで、第１蒸発器５に冷媒が流れている（第２蒸発器６に冷媒が流れていない）時に第２蒸発器温度検出手段２０により検出した第２蒸発器６の温度を基に、制御手段１４が、第２蒸発器６が着霜していることを判断した場合は、第２蒸発器温度検出手段２０により検出した第２蒸発器６の温度を基に蒸発器に着霜した霜が融け終わったことを判断するまでは、第２蒸発器用送風機１１を運転し、同様に、第２蒸発器６に冷媒が流れている（第１蒸発器５に冷媒が流れていない）時に第１蒸発器温度検出手段１９により検出した第１蒸発器５の温度を基に、制御手段１４が、第１蒸発器５が着霜していることを判断した場合は、第１蒸発器温度検出手段１９により検出した第１蒸発器５の温度を基に蒸発器に着霜した霜が融け終わったことを判断するまでは、第１蒸発器用送風機１０を運転する。
【０２１６】
これにより、それぞれの蒸発器の冷却運転再開時には、その冷却運転前の送風による除霜運転で除霜された後の状態になっており、冷却運転再開までに除霜が終了できない場合を除いて着霜状態の蒸発器で冷却運転を再開してしまう可能性がないため、高温高湿条件下における冷却においても着霜による冷却能力の低下を防ぐことが出来る。
【０２１７】
また、第１蒸発器５に冷媒が流れている（第２蒸発器６に冷媒が流れていない）時に第２蒸発器温度検出手段２０により検出した第２蒸発器６の温度を基に、制御手段１４が、第２蒸発器６の温度を基に蒸発器に着霜がないと判断した場合や、霜が融け終わったことを判断した場合は、第２蒸発器用送風機１１を停止し、同様に、第２蒸発器６に冷媒が流れている（第１蒸発器５に冷媒が流れていない）時に第１蒸発器温度検出手段１９により検出した第１蒸発器５の温度を基に、制御手段１４が、第１蒸発器５の温度を基に蒸発器に着霜がないと判断した場合や、霜が融け終わったことを判断した場合は、第１蒸発器用送風機１０を停止することが望ましい。
【０２１８】
このように、制御手段が、蒸発器の温度を基に蒸発器に着霜した霜が融け終わったことを判断した後は、除霜のための送風機の運転を止めることにより、蒸発器に着霜した霜が融け終わった後の送風機の運転による無駄な電力の消費を削減することが出来る。
【０２１９】
また、本実施の形態では、第１蒸発器用送風機１０と第２蒸発器用送風機１１に回転数可変型送風機を用い、制御手段１４は、回転数可変型送風機の回転数を制御する。
【０２２０】
これにより、第１商品収納室３（または第２商品収納室４）は、第１蒸発器５（または
第２蒸発器６）に冷媒が流れている冷却運転時であれば、第１庫内温度検出手段１２（または第２庫内温度検出手段１３）により検出する庫内温度が設定温度よりも高く且つその温度差が大きい場合や、第１庫内温度検出手段１２（または第２庫内温度検出手段１３）により検出する庫内温度が設定温度よりも高く且つ第１庫内温度検出手段１２（または第２庫内温度検出手段１３）により検出する庫内温度が設定温度に近づく速度が遅い場合には、制御手段１４が、第１蒸発器用送風機１０（または第２蒸発器用送風機１１）の回転数を高くして、第１商品収納室３（または第２商品収納室４）を早く設定温度まで冷却することができる。
【０２２１】
また、除霜運転時に、蒸発器の温度を基に所定量以上の着霜があると判断できる場合や、蒸発器の温度の推移から冷却運転再開までに除霜が終了できない虞があると判断できる場合には、制御手段１４が、第１蒸発器用送風機１０（または第２蒸発器用送風機１１）の回転数を高くして、除霜時間の短縮を図ることができる。
【０２２２】
また、本実施の形態は、制御手段１４が、圧縮機９の運転時に第１蒸発器５と第２蒸発器６の内のどちらか一方にのみ選択的に冷媒が流れるように第１冷媒流路開閉手段７と第２冷媒流路開閉手段８の開閉を制御するので、圧縮機９に第１商品収納室３と第２商品収納室４の両方を同時に冷却する能力は必要なく、第１商品収納室３と第２商品収納室４のどちらか冷却負荷の大きい方を設定温度に冷却できるだけの能力があれば問題ない。
【０２２３】
そこで、本実施の形態では、圧縮機９の能力を、第１商品収納室３と第２商品収納室４のどちらか冷却負荷の大きい方を冷却するには充分であるが、第１商品収納室３と第２商品収納室４の両方を同時に冷却するには不充分な能力にすることにより、圧縮機９、凝縮器を小型化出来、その結果、圧縮機９を含めた冷却システム２７を小型化することが出来るため、冷却システム２７を小型化した分のコストダウンが出来る。
【０２２４】
また、冷却システム２７を小型化して出来たスペースを商品収納室の拡大に活用すれば、商品収納室に収納できる商品の量を増やすことができ、冷却システム２７を小型化して出来たスペースを、圧縮機９、凝縮器が配置されて外気温度よりも高温になる機械室と冷却販売される商品が収納される商品収納室との断熱壁の壁厚の拡大に活用すれば、省エネになる。
【０２２５】
（実施の形態２）
図６は本発明の実施の形態２の自動販売機を示す構成図である。
【０２２６】
本実施の形態は、第１冷媒流路開閉手段と第２冷媒流路開閉手段を、一つの三方弁１８で構成したものであり、実施の形態１の第１冷媒流路開閉手段７としての電磁弁１７ａと第２冷媒流路開閉手段８としての電磁弁１７ｂの代わりに、三方弁１８を用いたものである。その他の構成は、実施の形態１と同様であり、実施の形態１と同一構成については同一符号を付して、その詳細な説明は省略する。
【０２２７】
第１蒸発器５に冷媒を流す場合は、三方弁１８の第１蒸発器５側を開、第２蒸発器６側を閉にする。逆に第２蒸発器６に冷媒を流す場合は、三方弁１８の第１蒸発器５側を閉、第２蒸発器６側を開にする。
【０２２８】
実施の形態１のように電磁弁１７ａ，１７ｂを使用する場合必ず２個必要であるが、三方弁１８であれば１個で済むため、コストダウンすることが出来る。
【０２２９】
本実施の形態の三方弁１８は、入口が一つで出口が二つあり、二つの出口のどちらか一方が開いている時にはどちらか他方が閉じており、開いていた方の出口が閉じられる時に
閉じられていた方の出口が開けられる、外部からの制御で流路の切替えが可能なものであり、第１冷媒流路開閉手段と第２冷媒流路開閉手段を、一つの三方弁１８で構成できる。
【０２３０】
また、一つの三方弁１８は、実施の形態１のように二つの電磁弁１７ａ，１７ｂを用いる場合よりも制御回路が簡単になり、二つの電磁弁１７ａ，１７ｂを切り替える場合に問題になる、分岐点から第１蒸発器５への冷媒流路を開閉するタイミングと分岐点から第２蒸発器６への冷媒流路を開閉するタイミングのズレの発生の虞がない。
【産業上の利用可能性】
【０２３１】
以上のように本発明にかかる自動販売機は、２つの商品収納室のどちらか冷却負荷の大きい方を冷却するには充分であるが、２つの商品収納室の両方を同時に冷却するには不充分な能力の圧縮機を用いて、２つの商品収納室の冷却運転と除霜運転を効率よく行えるものであり、ショーケースや冷蔵庫等の用途にも適用出来る。
【符号の説明】
【０２３２】
１      自動販売機
２      断熱仕切り板
３      第１商品収納室
４      第２商品収納室
５      第１蒸発器
６      第２蒸発器
７      第１冷媒流路開閉手段
８      第２冷媒流路開閉手段
９      圧縮機
１０    第１蒸発器用送風機
１１    第２蒸発器用送風機
１２    第１庫内温度検出手段
１３    第２庫内温度検出手段
１４    制御手段
１５    第１商品
１６    第２商品
１７ａ  電磁弁
１７ｂ  電磁弁
１８    三方弁
１９    第１蒸発器温度検出手段
２０    第２蒸発器温度検出手段
【図１】
2013061849.tif 000003
【図２】
2013061849.tif 000004
【図３】
2013061849.tif 000005
【図４】
2013061849.tif 000006
【図５】
2013061849.tif 000007
【図６】
2013061849.tif 000008
【図７】
2013061849.tif 000009